【事件の表示】
　平成　２年特許願第２７３９２８号「画像処理装置」拒絶査定に対する審判事件［平成　４年　５月２５日出願公開、特開平　４−１５０５６７］について、次のとおり審決する。
【結　論】
　本件審判の請求は、成り立たない。
【理　由】
１．手続きの経緯・本願発明
　本願は、平成２年１０月１３日の出願であって、その請求項１に係る発明は、平成１２年６月１９日付け手続補正書により補正された明細書の記載からみて、その特許請求の範囲の請求項１に記載された次の事項により特定されるとおりのものと認める。（以下、「本願発明」という。）
「【請求項１】　入力画像データの色相にかかわらず、設定された複数の係数で構成されるマトリクスを用いて色補正を行う画像処理装置であって、
　複数の色相の各々について強弱の度合いと色相を調整することが可能であり、前記複数の色相の各々について該強弱の度合いと該色相の調整量を同時に表示させる操作部と、
　前記マトリクスを構成する前記複数の係数の中から前記操作部によって調整された色相に応じた係数を、該色相について指示された強弱の度合いと色相についての調整量に応じて設定する設定手段と、
　前記設定されたマトリクス係数を含むマトリクスを用いて、複数色成分で構成される前記入力画像データに対して色補正を行う色補正手段とを有することを特徴とする画像処理装置。」
　
２．引用例
　これに対して、原査定の拒絶の理由に引用された特開平１−１９４５７１号公報（以下、引用例１という。）には、　次の事項が記載されている。
　
（ａ）「（１）色分解された複数の基本色の入力画像信号を処理して調整された複数の基本色の出力画像信号を生成する色調整装置において：
　変更対象となる入力画像信号上の色、及び色変更後の出力画像信号上の色に関する情報を入力する調整情報入力手段；
　所定の色補正パラメータに応じて、前記入力画像信号を前記出力画像信号に変換する色変換手段；及び
　前記調整情報入力手段によって入力される情報に基づいて、前記色変換手段の色補正パラメータを設定する、パラメータ設定手段；
を備える色調整装置。
（２）前記色変換手段は、前記入力画像信号が示す色相を、予め設定した３以上の色相領域のいずれかに識別する色相識別手段を備え、該色相識別手段の識別した色相領域に応じて、前記色補正パラメータを切換える、前記特許請求の範囲第（１）項記載の色調整装置。」（引用例１の第１頁下左欄第５行目〜同頁下右欄第３行目）
　
（ｂ）「これによれば、オペレータは、変更すべき色と変更後の色の情報を指定するだけでよいので、調整前と調整後の画像上の色の変化が理解し易く、色調整が簡単である。
　しかしながら、通常のマスキング方程式に従って色変換を行なう場合、一部のマスキング係数を変更しても、様々な色相に対して色調整が行なわれるため、実際に調整対象となる色相を変更すべき色のみに特定するのは非常に難しい。そこで、後述する本発明の好ましい実施例においては、色相を複数の領域に区分して、各々の色相領域毎に独立した色変換パラメータを用いて色調整を行なう。マスキング回路の色変換パラメータを変更すれば、色変換特性、例えば色相が変わる。ところが、上記構成によれば、色変換パラメータが色相領域毎に独立しているので、色調整の変更対象となる色相から大きく離れている色相の画像部分に対しては色調整が行なわれることはなく、オペレータの意図しない色調整が実行される恐れはない。例えば、Ｒ，Ｇ，Ｂ，Ｃ，Ｍ及びＹの６つの色相を境界として、Ｒ−Ｙ，Ｙ−Ｇ，Ｇ−Ｃ，Ｃ−Ｂ，Ｂ−Ｍ及びＭ−Ｒの６つの領域に色相を区分する場合には、６つの各々の色相領域に独立したマスキング係数が設定されるので、例えばＲ色の色相を調整しようとする時には、Ｒの色に関係のあるＲ−Ｙ及びＭ−Ｒの領域のマスキング係数が変更され、その他の色相領域のマスキング係数は変更されない。従って、色調整の変更対象になる色相以外に対しては色調整は実行されない。」（引用例１の第３頁下右欄第１５行目〜第４頁第３行目）
　
（ｃ）「次に第７図を参照する。
１０１は読取処理ユニットであり、原稿画像の読取りを行なう。ＣＣＤ７ｒ，７ｇ，７ｂの出力信号はＡ／Ｄ変換器１０２ｒ，１０２ｇ及び１０２ｂによって各々１０ビットのデジタル信号に変換され、シェーディング補正回路１０３に入力される。シェーディング補正回路１０３は、ＣＣＤ読取光学系の照度むら，各ＣＣＤ内部の受光素子群の感度のばらつき及び暗電流に対する補正を施こして、各１０ビットの読取色階調信号Ｒ，Ｇ，Ｂを出力する。
画像処理ユニット１００は、γ補正回路１０４，色補正回路１０５，変倍処理回路１０６及びディザ処理回路１０７を備えている。γ補正回路１０４は、入力される読取色階調信号Ｒ，Ｇ，Ｂに対して対数変換を行なうとともに、コンソール３００からの指示に応じて階調特性を補正し、各８ビットの、Ｒ，Ｇ及びＢの読取色濃度信号Ｄｒ，Ｄｇ及びＤｂを出力する。
色補正回路１０５は、マスキング処理を行ない、Ｒ，Ｇ及びＢの入力信号Ｄｒ，Ｄｇ及びＤｂを、Ｃ（シアン），Ｍ（マゼンタ），Ｙ（イエロー）及びＢＫ（ブラック）の記録色対応の信号（各トナーの記録濃度に対応）Ｄｃ，Ｄｍ，Ｃｙ及びＤｂｋに変換する。
この変換において、この装置自体の記録特性の理想特性からのずれを補正するための基本的な色補正、及びコンソールボード３００からの指示に基づく任意の色補正が行なわれる。
色補正回路１０５から出力される各８ビットの記録色濃度信号Ｄｃ，Ｄｍ，Ｄｙ及びＤｂｋは、変倍処理回路１０６に印加される。変倍処理回路１０６は、コンソールボード３００からの指示に応じて、主走査方向（第１キャリッジ８の移動方向と垂直な方向）の変倍処理を各色の信号に対して行ない、各８ビットの記録色濃度信号Ｄｃ′，Ｄｍ′，Ｄｙ′及びＤｂｋ′を出力する。なお、副走査方向（第１キャリッジ８の移動方向）の変倍は、第１キャリッジ８の移動速度を変更することにより行なわれる。
変倍処理回路１０６から出力される信号は、ディザ処理回路１０７に印加される。ディザ処理回路１０７は、記録濃度信号Ｄｃ′，Ｄｍ′，Ｄｙ′及びＤｂｋ′をディザ処理し、各３ビットの記録色階調信号Ｃ，Ｍ，Ｙ及びＢＫを出力する。なおこのディザ処理において、記録系の階調上の非線形特性の補正も行なわれる。
画像記録ユニット１０８は、画像処理ユニット１００が出力する記録色階調信号Ｃ，Ｍ，Ｙ及びＢＫに応じて、半導体レーザ４３ｃ，４３ｍ，４３ｙ及び４３ｂｋを付勢する。なお、ＢＫの信号はそのままレーザドライバ１１０ｂｋに与えるが、他色の信号Ｙ，Ｍ及びＣは、それぞれ、バッファメモリ１０９ｙ，１０９ｍ及び１０９ｃに保持した後、第６図に示す遅れ時間Ｔｙ，Ｔｍ及びＴｃの後に読み出して、レーザドライバ１１０ｙ，１１０ｍ及び１１０ｃに与える。
同期制御ユニット１１１は、読取処理ユニット１０１、画像処理ユニット１００及び画像記録ユニット１０８相互の、ならびに各ユニット内の各要素間の信号授受のタイミングの整合を行なう。
システム制御ユニット１１２は、ＣＰＵ１１３，ＲＯＭ１１４，ＲＡＭ１１５，Ｉ／Ｏポート１１６，１１７，１１８，１１９及び１２０を備えるマイクロコンピュータシステムであって、この複写機全体の制御を行なう。また、システム制御ユニット１１２は、コンソールボード３００の表示制御及びキー入力操作検出の処理を行ない、キー入力に応じて所定の動作を行なう。
  第１図に、第７図の色補正回路１０５の構成を具体的に示す。第１図を参照すると、色補正回路１０５には、色相領域判定回路１２１，墨抽出回路１２２，墨除去回路１２３及びマスキング回路１２４が備わっている。
色相領域判定回路１２１は、入力される読取色濃度信号Ｄｒ，Ｄｇ，Ｄｂの示す色相が予め定めた複数領域のいずれに属するかを識別する回路であり、識別の結果は３ビットの色相識別信号Ｓａｒｅａとして出力される。
墨抽出回路１２２は、入力される読取色濃度信号Ｄｒ，Ｄｇ，Ｄｂから、ブラックトナー成分の記録濃度を定める信号Ｄｂｋを生成する。墨抽出回路１２２の処理の内容は、基本的には次の第（１）式で表わされ、更に墨抽出の処理モード（フルブラック，スケルトンブラックなど）やＵＣＲ率に応じた処理が加わる。
Ｄｂｋ＝ＢＫｒ・Ｄｒ＋ＢＫｇ・Ｄｂ＋ＢＫｂ・Ｄｂ　・・・（１）
第（１）式におけるＢＫｒ，ＢＫｇ，ＢＫｂは、定数であり、色相識別信号Ｓａｒｅａの状態に応じて自動的に切換えられる。
墨除去回路１２３は、墨抽出回路１２２が出力する記録色濃度信号Ｄｂｋに基づいて、記録色濃度信号Ｄｒ，Ｄｇ及びＤｂを補正する。補正の内容は基本的には次の第（２）式で表わされ、更に墨抽出モードに応じた処理やＵＣＡ処理が加わる。
　Ｄｒ′＝Ｄｒ−Ｄｂｋ
　Ｄｇ′＝Ｄｇ−Ｄｂｋ
　Ｄｂ′＝Ｄｂ−Ｄｂｋ　・・・（２）
マスキング回路１２４は、読取色濃度信号Ｄｒ′，Ｄｇ′及びＤｂ′に基づいて、記録用のシアントナー，マゼンタトナー及びイエロートナーの各記録濃度を表わす信号Ｄｃ，Ｄｍ及びＤｙを生成する。記録系の実際の特性と理想特性とのずれに基づく誤差分が、このマスキング処理によって補正される。また、オペレータからの指示に基づく色調整も、このマスキング処理によって実行される。マスキング回路１２４の処理内容は、次の第（３）式で表される。
Ｄｃ＝ＫＣｒ・Ｄｒ′＋ＫＣｇ・Ｄｇ′＋ＫＣｂ・Ｄｂ′
Ｄｍ＝ＫＭｒ・Ｄｒ′＋ＫＭｇ・Ｄｇ′＋ＫＭｂ・Ｄｂ′
Ｄｙ＝ＫＹｒ・Ｄｒ′＋ＫＹｇ・Ｄｇ′＋ＫＹｂ・Ｄｂ′　・・・（３）
但し、ＫＣｒ，ＫＣｇ，ＫＣｂ，ＫＭｒ，ＫＭｇ，ＫＭｂ，ＫＹｒ，ＫＹｇ及びＫＹｂは定数であり、色相識別信号Ｓａｒｅａの状態に応じて自動的に切換えられる。」（引用例１の第７頁下左欄第７行目〜第８頁下右欄第２０行目）
　
（ｄ）「但し、色調整が行なわれるのは、調整対象となるＲ色を含む、２つの色相領域Ｍ−Ｒ及びＲ−Ｙのみである。つまり、この場合には色調整の対象がＲ色であるから、色相領域Ｍ−Ｒ及びＲ−Ｙについて、それらに属するマスキング係数を更新するが、それ以外の色相領域のマスキング係数は更新されないので、色調整も行なわれない。また、無彩色についても、それらの色が三次色Ｋや一次色ＢＫの分光濃度値によってほぼ決定されるので、Ｒ色の色調整の影響はほとんどない。」（引用例１の第１６頁下左欄第１８行目〜同頁下右欄第７行目）
　
（ｅ）「いずれにしても、この実施例では、複数に区分された色相領域の各々対応付けてマスキング係数が設定されており、このマスキング係数を調整することにより、希望する色相部分のみを他の色に調整しうる。マスキング係数の変更は、それを計算するのに用いられる特定色の分光濃度値（第５表）や記録量を修正することにより達成される。また、色相領域の境界の色相は、各色間の順番を崩さない限り、自由に調整しうる。
　次に、色調整に関して、オペレータの操作とそれに応じた第２図の複写機の動作との関連を説明する。
第１０ａ図，第１０ｂ図及び第１０ｃ図に、第５図に示すコンソールボード３００に備わったタッチパネルディスプレイ３０７上の表示内容の例を示す。第１０ａ図が、標準モードでの表示内容である。この標準モードで、表示上の一部分の、キーＫ１３（色調調整）を押すと、３０７の表示画面は第１０ｂ図の内容に変わる。
第１０ｂ図の画面において、調整すべき色（特定色）の指定ができる。即ち、表示された「Ｃ」，「Ｍ」，「Ｙ」，「Ｒ」，「Ｇ」及び「Ｂ」の部分を押すことにより、それぞれ、特定色として、Ｃ，Ｍ，Ｙ，Ｒ，Ｇ及びＢの各色が設定される。また、「リセット」を押せば、色調整の内容がクリアされ、マスキング係数として標準値（装置の初期値）が設定される。「調整終了」を押すと、標準モードに戻り、表示内容が第１０ａ図の内容に変わる。
第１０ｂ図に示される特定色指定モードにおいて、例えば「Ｒ」が押されると、表示画面は第１０ｃ図の内容に変わる。第１０ｃ図の画面において、指定した特定色に対して、明度，彩度及び色相の調節ができる。即ち、画面中央部の表示が明度調整量を示す一次元の指標であり、画面下方の表示が色相及び彩度の調整量を示す二次元の指標である。指標上の点滅部（黒丸を示す）が、その時の調整量（設定値）を示している。この例では、明度，彩度及び色相が、それぞれ７段階に調整できる。
即ち、二次元指標の右側の「赤紫」を押す毎に、指標上の点滅部は１ステップずつ右側に移動し、それに伴なって、「赤紫」の色彩が強くなるように、つまり特定色の色相が「赤紫」に近づく方向に、マスキング係数が調整される。また、二次元指標の左側の「黄色」を押す毎に、指標上の点滅部は１ステップずつ左側に移動し、それに伴なって、黄色の色彩が強くなるように、つまり特定色の色相が黄色に近づく方向に、マスキング係数が調整される。
また、二次元指標の上側の「鮮」を押す毎に、指標上の点滅部が１ステップずつ上側に移動し、それに伴なって、特定色の彩度が上昇する方向に、マスキング係数が調整される。更に、二次元座標の下側の「鈍」を押す毎に、指標上の点滅部が１ステップずつ下側に移動し、それに伴なって、特定色の彩度が低下する方向に、マスキング係数が調整される。
同様に、一次元指標の右側の「明」を押す毎に、該指標上の点滅部が１ステップずつ右側に移動し、それに伴なって、記録される特定色の明度が上昇する。また、一次元指標の左側の「暗」を押す毎に、該指標上の点滅部が１ステップずつ左側に移動し、それに伴なって、記録される特定色の明度が低下する。
特定色Ｒの色調調整モードは、「終了」部分を押すことで終了し、再び特定色指定モードになる。
なお、他の色が特定色として選択された場合も、動作はＲ色の場合と基本的に同一である。つまり、特定色の指定が変わると、マスキング係数の調整対象となる色相領域が変わり、また画面上に表示される内容（色相を示す「黄色」，「赤紫」）が変更されるが、それ以外は同一である。
システム制御ユニット１１２は、上記の調整入力操作に応じて、指定された特定色の色相，彩度及び明度を、特定色の分光濃度値や記録量の修正により調整する。
例えば、特定色Ｒの分光濃度値を修正する場合には次のようにする。色相及び彩度が標準値で、明度のみを調整する場合には、特定色Ｒの分光濃度値に、比視感度に応じた分光濃度値を明度調整量に応じて加算又は減算する。また、色相のみを調整する場合、例えば黄色味を強くする時には、特定色Ｒの分光濃度値（第５表）のブルー光成分（１．３６７）を調整量に応じて小さくするとともに、レッド光成分（０．１４７）及びグリーン光成分（１．０５４）は、特定色の彩度及び明度が変わらないように、若干大きくする。更に、特定色がＲである場合に彩度のみを調整する時には、特定色Ｒの分光濃度値のレッド光成分を彩度調整量に応じて増減するとともに、グリーン光成分及びブルー光成分は、特定色の色相及び明度が変わらないように増減する。また、明度，彩度及び色相を組合せた色調整も勿論可能である。
以上のように、システム制御ユニット１１２は、色調調整モードで設定された色相，彩度及び明度に従って、その特定色の分光濃度値や記録量を修正するとともに、色調調整の終了が選択されると、各色相領域におけるマスキング係数及び場合によっても特定色の色相をも計算し、その結果を色補正回路１０５に送り、色調整に関する処理を終了する。」（引用例１の第１７頁上右欄第１行目〜第１８頁下左欄第２行目）  
　
　これらの記載からみて引用例１には次のことが記載されているものと認められる。
「色分解された複数の基本色の入力画像信号を処理して調整された複数の基本色の出力画像信号を生成する色調整装置において：
　複数の色相領域に分けて、それぞれの色相領域に応じて係数を選択的に出力する係数保持回路；
　入力画像信号の色相に応じて係数を選択的に使用するマスキング回路；
　指定した特定色に対して、明度，彩度及び色相の調節ができるタッチパネルディスプレイ等の、変更対象となる入力画像信号上の色、及び色変更後の出力画像信号上の色に関する情報を入力する調整情報入力手段；
　前記入力画像信号が示す色相を、予め設定した３以上の色相領域のいずれかに識別する色相識別手段を備え、該色相識別手段の識別した色相領域に応じて、マスキング処理の係数を切換え、該所定のマスキング処理の係数に応じて、前記入力画像信号を前記出力画像信号に変換する色変換手段；
及び
　前記調整情報入力手段によって入力される情報に基づいて、前記色変換手段のマスキング処理の係数を設定する、パラメータ設定手段；
を備える色調整装置。」
　
３．対比
　そこで、本願発明と、引用例１に記載された発明とを対比すると、引用例の「入力画像信号」、「調整情報入力手段」、「パラメータ設定手段」、「色変換手段」、「色調整装置」は、それぞれ本願発明の「入力画像データ」、「操作部」、「設定手段」、「色補正手段」、「画像処理装置」に相当するものと認められるから、
両者は
「 入力画像データの色補正を行う画像処理装置であって、
　複数の色相の各々について強弱の度合いと色相を調整することが可能であり、前記複数の色相の各々について該強弱の度合いと該色相の調整量を表示させる操作部と、
　前記複数の係数の中から前記操作部によって調整された色相に応じた係数を、該色相について指示された強弱の度合いと色相についての調整量に応じて設定する設定手段と、
　前記設定された係数を含む係数を用いて、複数色成分で構成される前記入力画像データに対して色補正を行う色補正手段とを有することを特徴とする画像処理装置。」
である点において一致し、次の点で相違している。
（相違点）
（相違点１）
　本願発明が、入力画像データの色相にかかわらず、設定された複数の係数で構成されるマトリクスを用いて色補正を行うのに対して、引用例１の発明のものは、入力画像信号の色相に応じたマスキング処理の係数を用いている点。
（相違点２）
　操作部が、本願発明では、複数の色相の各々について強弱の度合いと色相を調整することが可能であり、前記複数の色相の各々について該強弱の度合いと該色相の調整量を同時に表示させるのに対して、引用例１の発明では、指定した特定色に対して、明度，彩度及び色相の表示を行っている点。
（相違点３）
　設定手段により設定するのが、本願発明では、マトリクスを構成する複数の係数の中から操作部によって調整された色相に応じた係数を、該色相について指示された強弱の度合いと色相についての調整量に応じて設定するのに対して、引用例１の発明は、タッチパネルディスプレイで指定する、特定色に対して、明度，彩度及び色相の調節して、色相領域に応じてたマスキング係数を切換えている点。
　
４．当審の判断
　上記相違点を検討すると、
（１）相違点１について
　引用例１の第８頁の第（３）式には、マスキング回路の処理内容が記載されているが、これを色相に応じて切り換えないで単一のマトリクスとすることは当業者が容易に推考することができることであるから、引用例１の色相に応じたマスキング処理の係数を、色相にかかわらないマトリクスの係数を含んだものとすることは当業者が容易に考えられることである。
（２）相違点２について
　一般的に、調整、制御を行うときに、可能であるならば、調整、制御を行う対象を全て表示することが良いのであるが、表示画面が限られていれば、その一部を表示して、調整、制御を行うことは通常行われていることであるから、引用例１のものにおいても複数の色相の調整量を同時に表示するようにすることは当業者が容易に推考することができることである。
（３）相違点３について
　引用例１においても、マスキング係数をタッチパネルディスプレイで指定することによって調整することにより色相に応じた処理を行っており、マトリクスを構成する複数の係数の中から操作部によって調整された色相に応じた係数を、該色相について指示された強弱の度合いと色相についての調整量に応じて設定するようにすることは、当業者が容易に考えられることである。
　
５．むすび
　従って、本願請求項１に係る発明は、前記引用例１に基づいて当業者が容易に発明できたものであるから、特許法第２９条第２項の規定により特許を受けることができない。
　よって、結論のとおり審決する